(57)【要約】  ペーパーの搬送力を効果的に高めることによって、印画品位の低下を抑制する。熱転写型のプリンタは、印画時にプラテンローラー（５）を回転駆動させることによって、記録用紙（３ａ）およびインクリボン（１２）を搬送するプラテンローラー駆動部（１０５）と、ペーパーロール（３）とプラテンローラーとの間の区間において、第１のピンチローラー（７）とともに記録用紙を挟むグリップローラー（６）と、グリップローラーを回転駆動させることによって、記録用紙を搬送するグリップローラー駆動部（１０６）とを備える。
2019239512.tif 000002
【特許請求の範囲】
【請求項１】
搬送される記録用紙（３ａ）およびインクリボン（１２）を、サーマルヘッド（２）とプラテンローラー（５）とを用いて圧着することによって印画を行う、熱転写型のプリンタであり、
印画時に前記プラテンローラー（５）を回転駆動させることによって、前記記録用紙（３ａ）および前記インクリボン（１２）を搬送するプラテンローラー駆動部（１０５）と、
前記記録用紙（３ａ）を供給するペーパーロール（３）と、
前記ペーパーロール（３）と前記プラテンローラー（５）との間の区間において、第１のピンチローラー（７）とともに前記記録用紙（３ａ）を挟むグリップローラー（６）と、
前記グリップローラー（６）を回転駆動させることによって、前記記録用紙（３ａ）を搬送するグリップローラー駆動部（１０６）とを備える、
熱転写型のプリンタ。
【請求項２】
前記プラテンローラー駆動部（１０５）は、前記記録用紙（３ａ）を前記ペーパーロール（３）に巻き取らせる方向に前記プラテンローラー（５）を回転駆動させ、
前記グリップローラー駆動部（１０６）は、前記記録用紙（３ａ）を前記ペーパーロール（３）に巻き取らせる方向に前記グリップローラー（６）を回転駆動させる、
請求項１に記載の熱転写型のプリンタ。
【請求項３】
前記ペーパーロール（３）を回転駆動させるペーパーロール駆動部（４）をさらに備え、
前記ペーパーロール駆動部（４）は、印画時に、前記プラテンローラー駆動部（１０５）および前記グリップローラー駆動部（１０６）が前記記録用紙（３ａ）を巻き取らせる速度よりも遅い速度で前記ペーパーロール（３）が前記記録用紙（３ａ）を巻き取るように、前記ペーパーロール（３）を回転駆動させる、
請求項１または請求項２に記載の熱転写型のプリンタ。
【請求項４】
前記グリップローラー駆動部（１０６）は、非印画時に、前記記録用紙（３ａ）を前記ペーパーロール（３）から巻き出す方向に前記グリップローラー（６）を回転駆動させ、
前記ペーパーロール駆動部（４）は、前記グリップローラー駆動部（１０６）が前記記録用紙（３ａ）を巻き出す速度よりも遅い速度で前記ペーパーロール（３）から前記記録用紙（３ａ）が巻き出されるように、前記ペーパーロール（３）を回転駆動させる、
請求項３に記載の熱転写型のプリンタ。
【請求項５】
前記ペーパーロール（３）と前記グリップローラー（６）との間の区間において、第２のピンチローラー（９）とともに前記記録用紙（３ａ）を挟む給紙ローラー（８）と、
前記給紙ローラー（８）を回転駆動させることによって、前記記録用紙（３ａ）を搬送する給紙ローラー駆動部（１０８）とをさらに備え、
前記グリップローラー駆動部（１０６）は、非印画時に、前記記録用紙（３ａ）を前記ペーパーロール（３）から巻き出す方向に前記グリップローラー（６）を回転駆動させ、
前記給紙ローラー駆動部（１０８）は、前記記録用紙（３ａ）を前記ペーパーロール（３）から巻き出す方向に前記給紙ローラー（８）を回転駆動させる、
請求項１から請求項４のうちのいずれか１項に記載の熱転写型のプリンタ。
【請求項６】
前記ペーパーロール（３）を回転駆動させるペーパーロール駆動部（４）をさらに備え、
前記プラテンローラー駆動部（１０５）、前記グリップローラー駆動部（１０６）、前記ペーパーロール駆動部（４）および前記給紙ローラー駆動部（１０８）は、同一の駆動源によって駆動される、
請求項５に記載の熱転写型のプリンタ。
【請求項７】
前記プラテンローラー（５）を前記記録用紙（３ａ）に対して接近および離間させるプラテンローラー移動機構（５ａ）と、
前記第１のピンチローラー（７）とを前記記録用紙（３ａ）に対して接近および離間させる第１のピンチローラー移動機構（７ａ）と、
前記第２のピンチローラー（９）とを前記記録用紙（３ａ）に対して接近および離間させる第２のピンチローラー移動機構（９ａ）とをさらに備え、
前記プラテンローラー移動機構（５ａ）、前記第１のピンチローラー移動機構（７ａ）および前記第２のピンチローラー移動機構（９ａ）は、同一の駆動源によって駆動される、
請求項５または請求項６に記載の熱転写型のプリンタ。
【請求項８】
搬送される記録用紙（３ａ）およびインクリボン（１２）を、サーマルヘッド（２）とプラテンローラー（５）とを用いて圧着することによって印画を行う、熱転写型の印画方法であり、
印画時に前記プラテンローラー（５）を回転駆動させることによって、前記記録用紙（３ａ）および前記インクリボン（１２）を搬送し、
前記プラテンローラー（５）と前記記録用紙（３ａ）を供給するペーパーロール（３）との間の区間において第１のピンチローラー（７）とともに前記記録用紙（３ａ）を挟むグリップローラー（６）を回転駆動させることによって、前記記録用紙（３ａ）を搬送する、
熱転写型の印画方法。
【発明の詳細な説明】
【技術分野】
【０００１】
本願明細書に開示される技術は、熱転写型のプリンタ、および、熱転写型の印画方法に関するものである。
【背景技術】
【０００２】
写真のプリントなどに使用される熱転写型のプリンタには、耐熱性のプラスティックフィルムにイエロー（Ｙ）のインクが塗布されたパネル、耐熱性のプラスティックフィルムにマゼンダ（Ｍ）のインクが塗布されたパネル、耐熱性のプラスティックフィルムにシアン（Ｃ）のインクが塗布されたパネル、および、印画表面を保護する耐摩耗性樹脂材料からなるオーバーコート（ＯＰ）が塗布されたパネルの４種類のパネルが連続的かつ繰り返して配列されたインクリボンが用いられる。【０００３】
インクリボンを使用して記録用紙（以降、単にペーパーと呼ぶ）に印画を行う場合、インクリボンをペーパーとともに搬送しながら、サーマルヘッドとプラテンローラーとでこれらを圧着して熱転写を行う。【０００４】
１色の転写が終わるとインクリボンは次のパネルに送られるが、ペーパーは、それぞれの色の転写が終わるごとにあらかじめ定められた転写開始位置に戻される往復動作が繰り返される。【０００５】
このようなペーパーの往復動作に関わるペーパー搬送の際に、ペーパー搬送力がペーパーの搬送負荷に対して不足すると、ペーパーへのそれぞれの色の印画位置が搬送方向にずれる、または、ペーパーが蛇行して色ズレと呼ばれる印画不良が発生する。そうすると、印画品位が著しく低下する。【０００６】
ペーパー搬送力は、ペーパーを搬送するローラーであるグリップローラーの突起の高さ、または、突起の配列によって決まる。一方で、ペーパーの搬送負荷は、プラテンローラーおよびサーマルヘッドの圧着力、ペーパーロールの重さ、および、ペーパー送りの加速度によって決まる。【０００７】
グリップローラーの突起の高さを高く設定すれば、ペーパー搬送力は高くなる。しかしながら、ペーパーの表面に突起痕が現れてしまい、印画品位が低下する。【０００８】
従来のプリンタにおいては、ペーパーの表面に突起痕を生じさせずに搬送力を維持するため、グリップローラーの圧接力を調整可能な圧接力調整手段を備える。そして、圧接力調整手段によって、グリップローラーが停止している間の圧接力を、グリップローラーが回転している間の圧接力よりも小さくしている（たとえば、特許文献１を参照）。
【先行技術文献】
【特許文献】
【０００９】
【特許文献１】特開２００８−２１３１８０号公報
【発明の概要】
【発明が解決しようとする課題】
【００１０】
しかしながら、グリップローラーが停止している間にのみ圧接力を小さくするだけでは、グリップローラーが回転している間に生じる突起痕を軽減することはできない。【００１１】
本願明細書に開示される技術は、以上に記載されたような問題を解決するためになされたものであり、ペーパーの搬送力を効果的に高めることによって、印画品位の低下を抑制する技術を提供することを目的とするものである。
【課題を解決するための手段】
【００１２】
本願明細書に開示される技術の第１の態様は、搬送される記録用紙およびインクリボンを、サーマルヘッドとプラテンローラーとを用いて圧着することによって印画を行う、熱転写型のプリンタであり、印画時に前記プラテンローラーを回転駆動させることによって、前記記録用紙および前記インクリボンを搬送するプラテンローラー駆動部と、前記記録用紙を供給するペーパーロールと、前記ペーパーロールと前記プラテンローラーとの間の区間において、第１のピンチローラーとともに前記記録用紙を挟むグリップローラーと、前記グリップローラーを回転駆動させることによって、前記記録用紙を搬送するグリップローラー駆動部とを備える。【００１３】
本願明細書に開示される技術の第２の態様は、搬送される記録用紙およびインクリボンを、サーマルヘッドとプラテンローラーとを用いて圧着することによって印画を行う、熱転写型の印画方法であり、印画時に前記プラテンローラーを回転駆動させることによって、前記記録用紙および前記インクリボンを搬送し、前記プラテンローラーと前記記録用紙を供給するペーパーロールとの間の区間において第１のピンチローラーとともに前記記録用紙を挟むグリップローラーを回転駆動させることによって、前記記録用紙を搬送する。
【発明の効果】
【００１４】
本願明細書に開示される技術の第１の態様は、搬送される記録用紙およびインクリボンを、サーマルヘッドとプラテンローラーとを用いて圧着することによって印画を行う、熱転写型のプリンタであり、印画時に前記プラテンローラーを回転駆動させることによって、前記記録用紙および前記インクリボンを搬送するプラテンローラー駆動部と、前記記録用紙を供給するペーパーロールと、前記ペーパーロールと前記プラテンローラーとの間の区間において、第１のピンチローラーとともに前記記録用紙を挟むグリップローラーと、前記グリップローラーを回転駆動させることによって、前記記録用紙を搬送するグリップローラー駆動部とを備える。このような構成によれば、プラテンローラーおよびグリップローラーの双方を回転駆動させることによって記録用紙を搬送するため、記録用紙の搬送力を高めることができる。よって、突起痕を軽減しつつ印画品位の低下を抑制することができる。【００１５】
本願明細書に開示される技術の第２の態様は、搬送される記録用紙およびインクリボンを、サーマルヘッドとプラテンローラーとを用いて圧着することによって印画を行う、熱転写型の印画方法であり、印画時に前記プラテンローラーを回転駆動させることによって、前記記録用紙および前記インクリボンを搬送し、前記プラテンローラーと前記記録用紙を供給するペーパーロールとの間の区間において第１のピンチローラーとともに前記記録用紙を挟むグリップローラーを回転駆動させることによって、前記記録用紙を搬送する。このような構成によれば、プラテンローラーおよびグリップローラーの双方を回転駆動させることによって記録用紙を搬送するため、記録用紙の搬送力を高めることができる。よって、突起痕を軽減しつつ印画品位の低下を抑制することができる。【００１６】
本願明細書に開示される技術に関する目的と、特徴と、局面と、利点とは、以下に示される詳細な説明と添付図面とによって、さらに明白となる。
【図面の簡単な説明】
【００１７】
【図１】実施の形態に関する、熱転写型のプリンタの構成の例を概念的に示す図である。
【図２】実施の形態に関する、熱転写型のプリンタのうちの印刷機構の構成の例を概略的に示す図である。
【図３】実施の形態に関する熱転写型のプリンタのうちの、ペーパー搬送機構の給紙部分の構成の例を概略的に示す斜視図である。
【図４】実施の形態に関する熱転写型のプリンタの構成の、ペーパー搬送機構の主搬送部分の構成の例を概略的に示す斜視図である。
【図５】実施の形態に関する熱転写型のプリンタの、印画シーケンスとそれぞれのローラーの動作とを示すタイミングチャートである。
【図６】実施の形態に関する、熱転写型のプリンタの印画時の動作を説明するための図である。
【図７】実施の形態に関する、熱転写型のプリンタのペーパーの戻し時の動作を説明するための図である。
【図８】実施の形態に関する、熱転写型のプリンタの排紙時の動作を説明するための図である。
【図９】図１に例示されるプリンタの一部を実際に運用する場合のハードウェア構成を概略的に例示する図である。
【図１０】図１に例示されるプリンタの一部を実際に運用する場合のハードウェア構成を概略的に例示する図である。
【発明を実施するための形態】
【００１８】
以下、添付される図面を参照しながら実施の形態について説明する。
【００１９】
なお、図面は概略的に示されるものであり、説明の便宜のため、適宜、構成の省略、または、構成の簡略化がなされるものである。また、異なる図面にそれぞれ示される構成などの大きさおよび位置の相互関係は、必ずしも正確に記載されるものではなく、適宜変更され得るものである。また、断面図ではない平面図などの図面においても、実施の形態の内容を理解することを容易にするために、ハッチングが付される場合がある。
【００２０】
また、以下に示される説明では、同様の構成要素には同じ符号を付して図示し、それらの名称と機能とについても同様のものとする。したがって、それらについての詳細な説明を、重複を避けるために省略する場合がある。
【００２１】
また、以下に記載される説明において、「上」、「下」、「左」、「右」、「側」、「底」、「表」または「裏」などの特定の位置と方向とを意味する用語が用いられる場合があっても、これらの用語は、実施の形態の内容を理解することを容易にするために便宜上用いられるものであり、実際に実施される際の方向とは関係しないものである。
【００２２】
また、以下に記載される説明において、「第１の」、または、「第２の」などの序数が用いられる場合があっても、これらの用語は、実施の形態の内容を理解することを容易にするために便宜上用いられるものであり、これらの序数によって生じ得る順序などに限定されるものではない。
【００２３】
＜実施の形態＞
以下、本実施の形態に関する熱転写型のプリンタ、および、熱転写型の印画方法について説明する。
【００２４】
＜熱転写型のプリンタの構成について＞
図１は、本実施の形態に関する熱転写型のプリンタの構成の例を概念的に示す図である。また、図２は、本実施の形態に関する熱転写型のプリンタのうちの印刷機構の構成の例を概略的に示す図である。また、図３は、本実施の形態に関する熱転写型のプリンタのうちの、ペーパー搬送機構の給紙部分の構成の例を概略的に示す斜視図である。また、図４は、本実施の形態に関する熱転写型のプリンタの構成の、ペーパー搬送機構の主搬送部分の構成の例を概略的に示す斜視図である。
【００２５】
図１および図２に例が示されるように、熱転写型のプリンタ１００は、パーソナルコンピュータなどの外部の情報処理装置６０から画像データおよび印画に関する情報（たとえば、画像処理データ）を受信する通信部２０と、画像データおよび印画に関する情報を記憶する記憶部３０と、画像データを処理する画像処理部４０と、制御プログラムにしたがってプリンタ全体の動作を制御する中央演算処理装置（ｃｅｎｔｒａｌ  ｐｒｏｃｅｓｓｉｎｇ  ｕｎｉｔ、すなわち、ＣＰＵ）などである制御部５０と、ペーパー３ａを搬送するペーパー搬送機構２００と、インクリボン１２を加熱してペーパー３ａに転写するサーマルヘッド２と、印画されたペーパー３ａを所望のサイズに切断するカッター１と、切断されたペーパーを外部へ排紙する排紙部１５とを備える。なお、インクリボン１２に関わる搬送部および搬送機構については、図１および図２においては図示せず、また、詳細な説明を省略する。
【００２６】
ここで、記憶部３０は、通信部２０において受信された画像データおよび印画に関する情報を記憶する一時記憶メモリと、制御プログラムおよび各種の設定値を記憶する不揮発性メモリとを備える。
【００２７】
また、排紙部１５は、切断されたペーパーを挟む端ローラー１５ａおよびピンチローラー１５ｂを備える。
【００２８】
ペーパー搬送機構２００は、ペーパー３ａが巻き回されたロール紙（以降、ペーパーロール３と呼ぶ）を回転駆動するペーパーロール駆動部４と、印画時にプラテンローラー５を回転駆動させることによって、ペーパー３ａおよびインクリボン１２を搬送するプラテンローラー駆動部１０５と、グリップローラー６を回転駆動させることによって、ペーパー３ａを搬送するグリップローラー駆動部１０６と、給紙ローラー８を回転駆動させることによって、ペーパー３ａを搬送する給紙ローラー駆動部１０８と、プラテンローラー５をサーマルヘッド２に対して接近または離間させることによってインクリボン１２とペーパー３ａとを圧着させるプラテンローラー移動機構５ａと、ピンチローラー７をグリップローラー６に対して接近または離間させることによってペーパー３ａを挟むピンチローラー移動機構７ａと、ピンチローラー９を給紙ローラー８に対して接近または離間させることによってペーパー３ａを挟むピンチローラー移動機構９ａと、ペーパーロール駆動部４、プラテンローラー５、グリップローラー６および給紙ローラー８を回転駆動するＤＣモータなどであるモータ１０と、プラテンローラー移動機構５ａ、ピンチローラー移動機構７ａおよびピンチローラー移動機構９ａを駆動するＤＣモータなどであるモータ１１とを備える。
【００２９】
ここで、プラテンローラー５は、インクリボン１２とペーパー３ａとを、サーマルヘッド２との間で圧着し、かつ、搬送する。また、グリップローラー６は、ペーパーロール３とプラテンローラー５との間の区間において、ペーパー３ａをピンチローラー７との間で挟み、かつ、搬送する。
【００３０】
また、給紙ローラー８は、ペーパー３ａをピンチローラー９との間で挟み、かつ、搬送する。また、給紙ローラー８は、ペーパーロール３とグリップローラー６との間の区間において、ピンチローラー９とともにペーパー３ａを挟む。
【００３１】
図３および図４において例が示されるように、モータ１０の駆動力は、グリップローラー６に同軸で固定されたプーリー６ｂにタイミングベルト６ａを介して伝達される。そして、モータ１０の駆動力によって、グリップローラー６がペーパー３ａを搬送する。
【００３２】
プラテンローラー５へは、プラテンローラー５と同軸で固定されたギア５ｂに、伝達ギア５ｃ、伝達ギア５ｄ、伝達ギア５ｅ、伝達ギア５ｆ、伝達ギア８ｂおよび伝達ギア８ａを介して、モータ１０の駆動力が伝達される。
【００３３】
給紙ローラー８へは、給紙ローラー８と同軸で固定されたギア８ｂに、伝達ギア８ａを介してモータ１０の駆動力が伝達される。
【００３４】
ペーパーロール３が固定されたペーパーロール駆動部４へは、伝達ギア４ａ、伝達ギア５ｅ、伝達ギア５ｆ、伝達ギア８ｂおよび伝達ギア８ａを介して、モータ１０の駆動力が伝達される。
【００３５】
プラテンローラー５は、モータ１１に回転軸と同軸で固定されたウォームギア（ここでは、図示しない）によってカム５ａａさらにはカム５ａｂが回転駆動され、サーマルヘッド２に対して接近または離間する。
【００３６】
ピンチローラー７は、モータ１１の回転が、カム５ａａ、カム５ａｂ、カム７ｂａおよびカム７ｂｂを介して、ピンチローラー移動機構７ａａおよびピンチローラー移動機構７ａｂに伝達される。これによって、ピンチローラー７は、グリップローラー６に対して接近または離間する。
【００３７】
ピンチローラー９は、モータ１１の回転が、カム５ａａ、カム５ａｂ、カム７ｂａ、カム７ｂｂ、ピンチローラー移動機構７ａａおよびピンチローラー移動機構７ａｂを介して、ピンチローラー移動機構９ａに伝達される（ピンチローラー移動機構９ａの詳細機構は、ここでは図示しない）。これによって、ピンチローラー９は、給紙ローラー８に対して接近または離間する。
【００３８】
＜熱転写型のプリンタの動作について＞
次に、図５から図８を参照しつつ、本実施の形態に関する熱転写型のプリンタの動作を説明する。
【００３９】
図５は、本実施の形態に関する熱転写型のプリンタの、印画シーケンスとそれぞれのローラーの動作とを示すタイミングチャートである。また、図６は、本実施の形態に関する熱転写型のプリンタの印画時の動作を説明するための図である。また、図７は、本実施の形態に関する熱転写型のプリンタのペーパーの戻し（スイングバック、以降Ｓ／Ｂと呼ぶ）時の動作を説明するための図である。また、図８は、本実施の形態に関する熱転写型のプリンタの排紙時の動作を説明するための図である。
【００４０】
プリンタ１００の印画動作は主に、印画（転写）、Ｓ／Ｂ（スイングバック）および排紙の３つのモードからなる。印画（転写）では、インクリボン１２およびペーパー３ａを搬送しながらサーマルヘッド２によってインクリボン１２を加熱する。そして、インクリボン１２のイエロー（Ｙ）のインクが塗布されたパネル面からペーパー３ａへイエロー（Ｙ）のインクを転写し、マゼンダ（Ｍ）のインクが塗布されたパネル面からペーパー３ａへマゼンダ（Ｍ）のインクを転写し、シアン（Ｃ）のインクが塗布されたパネル面からペーパー３ａへシアン（Ｃ）のインクを転写し、さらに、オーバーコート（ＯＰ）材料が塗布されたパネル面からペーパー３ａへオーバーコート（ＯＰ）を転写する。このように、Ｙ、Ｍ、Ｃ、ＯＰの順番でペーパー３ａへ印画（転写）を行う。
【００４１】
Ｓ／Ｂでは、前述のそれぞれの色の転写動作の間に、ペーパー３ａを転写開始位置に戻す。このとき、最初のＳ／Ｂ動作を頭出し動作ともいう。
【００４２】
排紙では、ＯＰが転写された後のペーパー３ａをカッター１へ送る。そして、カッター１で転写が終わったペーパー３ａを所望のサイズに切断する。さらに、排紙部１５によって、当該ペーパー３ａを印画物としてプリンタ１００の外に排紙する。
【００４３】
次に、詳細な印画動作について説明する。
【００４４】
＜１．印画待機状態＞
図５に例が示されるように、印画動作を開始する前は、ペーパー３ａは待機位置に停止している。また、それぞれのローラーは、ペーパー３ａから離間して配置される。
【００４５】
＜２．印画＞
（２−１）まず、図５に例が示されるように、ペーパー３ａを転写開始位置に移動する（すなわち、頭出し）。そして、インクリボン１２を、イエロー（Ｙ）のインクが塗布されたパネル面の転写開始位置までインクボビン１３から巻き出す。
【００４６】
（２−２）次に、インクリボン１２とペーパー３ａとを、サーマルヘッド２とプラテンローラー５とによって圧着する。すなわち、図５に例が示されるように、プラテンローラー５をサーマルヘッド２に接近させる。そして、インクリボン１２とペーパー３ａとを搬送しながら、サーマルヘッド２でインクリボン１２を加熱して、ペーパー３ａにイエロー（Ｙ）のインクを転写する。
【００４７】
このとき、図５および図６に例が示されるように、グリップローラー６とピンチローラー７とによってペーパー３ａを挟み、かつ、ペーパー３ａを搬送する。一方で、頭出し以降イエロー（Ｙ）のインクの転写が終了するまでは、給紙ローラー８とピンチローラー９とではペーパー３ａを挟まない。
【００４８】
また、ペーパーロール駆動部４がイエロー（Ｙ）のインクの転写に際してペーパー３ａを巻き取る速度を、プラテンローラー５とグリップローラー６とによってペーパー３ａをペーパーロール３に巻き取られる方向に搬送する速度よりも遅くすることによって、図６に例が示されるように、ペーパーロール３に巻き取られる手前部分のペーパー３ａに弛みを持たせる。
【００４９】
すなわち、ペーパー３ａのグリップローラー６とペーパーロール３との間の区間においては、頭出し以降イエロー（Ｙ）のインクの転写が開始されるまではバックテンション（ＢＴ）が生じているが、イエロー（Ｙ）のインクの転写が行われている間は弛みが生じ、テンションがかかっていない状態となる。ここで、バックテンションとは、上記のトルクリミッタで搬送負荷を与えることによって、ペーパー３ａを搬送するグリップローラー６とペーパーロール３との間の区間でペーパー３ａが引っ張られて生じる張力である。
【００５０】
（２−３）次に、図５に例が示されるように、イエロー（Ｙ）のインクの転写が終了すると、ペーパー３ａを転写開始位置に戻す（Ｓ／Ｂ）。そして、インクリボン１２をマゼンダ（Ｍ）のインクが塗布されたパネル面の転写開始位置までインクボビン１３から巻き出す。
【００５１】
このとき、図５および図７に例が示されるように、プラテンローラー５はペーパー３ａから離間して配置される。一方で、図５および図７に例が示されるように、グリップローラー６およびピンチローラー７、および、給紙ローラー８およびピンチローラー９は、それぞれペーパー３ａを挟み、かつ、ペーパーロール３から巻き出す方向にペーパー３ａを搬送する。そして、図５および図７に例が示されるように、それとともに、ペーパーロール駆動部４がペーパーロール３からペーパー３ａを巻き出す。
【００５２】
また、ペーパーロール駆動部４がペーパー３ａを巻き出す速度を、グリップローラー６と給紙ローラー８とによってペーパー３ａを搬送する速度よりも遅くすることによって、図５および図７に例が示されるように、ペーパーロール駆動部４に内蔵されたトルクリミッタ（ここでは、図示しない）でペーパー３ａにバックテンション（ＢＴ）を生じさせる。
【００５３】
（２−４）そして、イエロー（Ｙ）のインクの場合と同様に、インクリボン１２とペーパー３ａとを搬送しながら、サーマルヘッド２でインクリボン１２を加熱して、ペーパー３ａにマゼンダ（Ｍ）のインクを転写する。
【００５４】
（２−５）次に、図５に例が示されるように、マゼンダ（Ｍ）のインクの転写が終了すると、ペーパー３ａを転写開始位置に戻す（Ｓ／Ｂ）。そして、インクリボン１２をシアン（Ｃ）のインクが塗布されたパネル面の転写開始位置までインクボビン１３から巻き出す。
【００５５】
（２−６）そして、イエロー（Ｙ）のインクの場合と同様に、インクリボン１２とペーパー３ａとを搬送しながら、サーマルヘッド２でインクリボン１２を加熱して、ペーパー３ａにシアン（Ｃ）のインクを転写する。
【００５６】
（２−７）次に、図５に例が示されるように、シアン（Ｃ）のインクの転写が終了すると、ペーパー３ａを転写開始位置に戻す（Ｓ／Ｂ）。そして、インクリボン１２をオーバーコート（ＯＰ）材料が塗布されたパネル面の転写開始位置までインクボビン１３より巻き出す。
【００５７】
（２−８）そして、イエロー（Ｙ）のインクの場合と同様に、インクリボン１２とペーパー３ａとを搬送しながら、サーマルヘッド２でインクリボン１２を加熱して、ペーパー３ａにオーバーコート（ＯＰ）材料を転写する。
【００５８】
＜３．排紙＞
（３−１）オーバーコート（ＯＰ）材料をペーパー３ａに転写した後、図８に例が示されるように、ペーパー３ａをカッター１まで搬送する。
【００５９】
このとき、図５および図８に例が示されるように、プラテンローラー５はペーパー３ａから離間して配置される。一方で、図５および図８に例が示されるように、グリップローラー６およびピンチローラー７、および、給紙ローラー８およびピンチローラー９は、ペーパー３ａを挟み、かつ、ペーパーロール３から巻き出す方向にペーパー３ａを搬送する。そして、図５および図８に例が示されるように、それとともに、ペーパーロール駆動部４がペーパーロール３からペーパー３ａを巻き出す。
【００６０】
また、ペーパーロール駆動部４がペーパー３ａを巻き出す速度を、グリップローラー６と給紙ローラー８とによってペーパー３ａを搬送する速度よりも遅くすることによって、図５および図８に例が示されるように、ペーパーロール駆動部４に内蔵されたトルクリミッタ（ここでは、図示しない）でペーパー３ａにバックテンション（ＢＴ）を生じさせる。
【００６１】
（３−２）そして、ペーパー３ａをカッター１で所望のサイズに切断する。
【００６２】
（３−３）さらに、切断されたペーパー３ａを排紙部１５で排紙する。
【００６３】
（３−４）次に、ペーパー３ａを待機位置まで搬送して停止させる。そして、それぞれのローラーをペーパー３ａから離間させて、ペーパー３ａを開放する。
【００６４】
このとき、サーマルヘッド２およびプラテンローラー５、および、グリップローラー６およびピンチローラー７はペーパー３ａから離間する。一方で、給紙ローラー８およびピンチローラー９は、ペーパー３ａを挟み、かつ、ペーパーロール３に巻き取られる方向にペーパー３ａを搬送する。そして、それとともに、ペーパーロール駆動部４がペーパーロール３にペーパー３ａを巻き取る。
【００６５】
また、ペーパーロール駆動部４がペーパー３ａを巻き取る速度を、給紙ローラー８とピンチローラー９とによってペーパー３ａを搬送する速度よりも速くすることによって、ペーパーロール駆動部４に内蔵されたトルクリミッタ（ここでは、図示しない）でペーパー３ａにバックテンション（ＢＴ）を生じさせる。
【００６６】
このように、印画時には、グリップローラー６とピンチローラー７とはペーパー３ａを挟むが、給紙ローラー８とピンチローラー９とはペーパー３ａを挟まない。なお、印画時に、給紙ローラー８およびピンチローラー９は、ペーパー３ａを挟んでいてもよい。
【００６７】
そして、プラテンローラー５が独自にペーパー３ａに搬送力を与えることによって、グリップローラー６の搬送力を相対的に低く抑えることができる。そのため、グリップローラー６によって搬送する際に突起痕が生じることを抑制することができる。
【００６８】
また、ペーパーロール駆動部４がペーパー３ａを巻き取る速度を、プラテンローラー５とグリップローラー６とがペーパー３ａを搬送する速度よりも遅くすることによって、ペーパーロール３に巻き取られる前部分のペーパー３ａに弛み（たるみ）を持たせることができる。これによって、ペーパーロール駆動部４によって生じる搬送力が、プラテンローラー５およびグリップローラー６による搬送に与える影響（外乱）が抑えることができる。そのため、印画動作の位置精度を向上させることができる。
【００６９】
また、Ｓ／Ｂ時および排紙時には、プラテンローラー５はペーパー３ａから離間して配置される。一方で、グリップローラー６およびピンチローラー７、および、給紙ローラー８およびピンチローラー９は、ペーパー３ａを挟み、かつ、搬送する。そして、それとともに、ペーパーロール駆動部４がペーパーロール３からペーパー３ａを巻き出す。なお、Ｓ／Ｂ時および排紙時に、給紙ローラー８およびピンチローラー９は、ペーパー３ａを挟まなくてもよい。
【００７０】
また、ペーパーロール駆動部４がペーパー３ａを巻き出す速度を、グリップローラー６とピンチローラー７とによってペーパー３ａを搬送する速度よりも遅くすることによって、ペーパーロール駆動部４に内蔵されたトルクリミッタでペーパー３ａにＢＴを生じさせる。
【００７１】
ＢＴがかかった状態でペーパー３ａの巻き出しが行われるため、ペーパー３ａの用紙幅方向の蛇行を防ぐことができる。また、ＢＴがかかった状態でペーパー３ａの巻き出しが行われるため、ペーパー３ａへの転写位置が安定する。そのため、印画品位のよい印画物を出力することができる。
【００７２】
また、Ｓ／Ｂ時および排紙時に、給紙ローラー８およびピンチローラー９がペーパー３ａを挟んで搬送することによって、Ｓ／Ｂ時および排紙時のペーパー３ａの搬送力が増大する。
【００７３】
また、Ｓ／Ｂ時および排紙時に、給紙ローラー８およびピンチローラー９がペーパー３ａを挟んで搬送することによって、ペーパーロール３から巻き出されたペーパー３ａの蛇行などによって生じる外乱が、グリップローラー６による搬送に与える影響が抑えられる。そのため、印画動作の位置精度を向上させることができる。
【００７４】
＜熱転写型のプリンタのハードウェア構成について＞
図９および図１０は、図１に例示されるプリンタの一部を実際に運用する場合のハードウェア構成を概略的に例示する図である。
【００７５】
なお、図９および図１０に例示されるハードウェア構成は、図１に例示される構成とは数などが整合しない場合があるが、これは図１に例示される構成が概念的な単位を示すものであることに起因する。
【００７６】
よって、少なくとも、図１に例示される１つの構成が、図９および図１０に例示される複数のハードウェア構成から成る場合と、図１に例示される１つの構成が、図９および図１０に例示されるハードウェア構成の一部に対応する場合と、さらには、図１に例示される複数の構成が、図９および図１０に例示される１つのハードウェア構成に備えられる場合とが想定され得る。
【００７７】
また、図９および図１０に例示されるハードウェア構成は、図１に例示されるプリンタの概念的な構成を具体化して例示するものである。したがって、図９および図１０には、図１に例示されるプリンタの概念的な構成に対応するハードウェア構成に加えて、新たなハードウェア構成が追加される場合があるが、新たに追加されるそれらのハードウェア構成が備えられない場合であっても、本実施の形態に関するプリンタは成立し得る。
【００７８】
図９では、図１中の機能を実現するためのハードウェア構成として、演算を行う処理回路１０２Ａと、情報を記憶することができる記憶装置１０３とが示される。
【００７９】
図１０では、図１中の機能を実現するためのハードウェア構成として、演算を行う処理回路１０２Ｂが示される。
【００８０】
記憶部３０は、記憶装置１０３または別の記憶装置（ここでは、図示しない）によって実現される。
【００８１】
記憶装置１０３は、たとえば、ハードディスクドライブ（Ｈａｒｄ  ｄｉｓｋ  ｄｒｉｖｅ、すなわちＨＤＤ）、ランダムアクセスメモリー（ｒａｎｄｏｍ  ａｃｃｅｓｓ  ｍｅｍｏｒｙ、すなわちＲＡＭ）、リードオンリーメモリー（ｒｅａｄ  ｏｎｌｙ  ｍｅｍｏｒｙ、すなわちＲＯＭ）、フラッシュメモリー、ｅｒａｓａｂｌｅ  ｐｒｏｇｒａｍｍａｂｌｅ  ｒｅａｄ  ｏｎｌｙ  ｍｅｍｏｒｙ（ＥＰＲＯＭ）およびｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ（ＥＥＰＲＯＭ）などの、揮発性または不揮発性の半導体メモリー、磁気ディスク、フレキシブルディスク、光ディスク、コンパクトディスク、ミニディスクまたはＤＶＤなどを含むメモリー（記憶媒体）、または、今後使用されるあらゆる記憶媒体であってもよい。
【００８２】
処理回路１０２Ａは、記憶装置１０３、外部のＣＤ−ＲＯＭ、外部のＤＶＤ−ＲＯＭ、または、外部のフラッシュメモリーなどに格納されたプログラムを実行するものであってもよい。すなわち、たとえば、ＣＰＵ、マイクロプロセッサ、マイクロコンピュータ、デジタルシグナルプロセッサ（ｄｉｇｉｔａｌ  ｓｉｇｎａｌ  ｐｒｏｃｅｓｓｏｒ、すなわちＤＳＰ）であってもよい。
【００８３】
処理回路１０２Ａが記憶装置１０３、外部のＣＤ−ＲＯＭ、外部のＤＶＤ−ＲＯＭ、または、外部のフラッシュメモリーなどに格納されたプログラムを実行するものである場合、通信部２０、画像処理部４０および制御部５０は、記憶装置１０３に格納されたプログラムが処理回路１０２Ａによって実行されるソフトウェア、ファームウェアまたはソフトウェアとファームウェアとの組み合わせにより実現される。なお、通信部２０、画像処理部４０および制御部５０の機能は、たとえば、複数の処理回路が連携することによって実現されてもよい。
【００８４】
ソフトウェアおよびファームウェアはプログラムとして記述され、記憶装置１０３に記憶されるものであってもよい。その場合、処理回路１０２Ａは、記憶装置１０３に格納されたプログラムを読み出して実行することによって、上記の機能を実現する。すなわち、記憶装置１０３は、処理回路１０２Ａに実行されることによって、上記の機能が結果的に実現されるプログラムを記憶するものであってもよい。
【００８５】
また、処理回路１０２Ｂは、専用のハードウェアであってもよい。すなわち、たとえば、単一回路、複合回路、プログラム化されたプロセッサ、並列プログラム化されたプロセッサ、集積回路（ａｐｐｌｉｃａｔｉｏｎ  ｓｐｅｃｉｆｉｃ  ｉｎｔｅｇｒａｔｅｄ  ｃｉｒｃｕｉｔ、すなわちＡＳＩＣ）、ｆｉｅｌｄ−ｐｒｏｇｒａｍｍａｂｌｅ  ｇａｔｅ  ａｒｒａｙ（ＦＰＧＡ）またはこれらを組み合わせた回路であってもよい。
【００８６】
処理回路１０２Ｂが専用のハードウェアである場合、通信部２０、画像処理部４０および制御部５０の処理は、処理回路１０２Ｂが動作することにより実現される。なお、通信部２０、画像処理部４０および制御部５０の処理の機能は、別々の回路で実現されてもよいし、単一の回路で実現されてもよい。
【００８７】
なお、通信部２０、画像処理部４０および制御部５０の機能は、一部が記憶装置１０３に格納されたプログラムを実行するものである処理回路１０２Ａにおいて実現され、一部が専用のハードウェアである処理回路１０２Ｂにおいて実現されてもよい。
【００８８】
＜以上に記載された実施の形態によって生じる効果について＞
次に、以上に記載された実施の形態によって生じる効果の例を示す。なお、以下の説明においては、以上に記載された実施の形態に例が示された具体的な構成に基づいて当該効果が記載されるが、同様の効果が生じる範囲で、本願明細書に例が示される他の具体的な構成と置き換えられてもよい。
【００８９】
以上に記載された実施の形態によれば、熱転写型のプリンタは、搬送される記録用紙およびインクリボン１２を、サーマルヘッド２とプラテンローラー５とを用いて圧着することによって印画を行う。熱転写型のプリンタは、プラテンローラー駆動部１０５と、ペーパーロール３と、グリップローラー６と、グリップローラー駆動部１０６とを備える。ここで、記録用紙は、たとえば、ペーパー３ａに対応するものである。プラテンローラー駆動部１０５は、印画時にプラテンローラー５を回転駆動させることによって、ペーパー３ａおよびインクリボン１２を搬送する。ペーパーロール３は、ペーパー３ａを供給する。グリップローラー６は、ペーパーロール３とプラテンローラー５との間の区間において、第１のピンチローラーとともにペーパー３ａを挟む。ここで、第１のピンチローラーは、たとえば、ピンチローラー７に対応するものである。グリップローラー駆動部１０６は、グリップローラー６を回転駆動させることによって、ペーパー３ａを搬送する。
【００９０】
このような構成によれば、プラテンローラー５およびグリップローラー６の双方を回転駆動させることによってペーパー３ａを搬送するため、ペーパー３ａの搬送力を高めることができる。よって、突起痕を軽減しつつ印画品位の低下を抑制することができる。
【００９１】
なお、これらの構成以外の本願明細書に例が示される他の構成については適宜省略することができる。すなわち、少なくともこれらの構成を備えていれば、以上に記載された効果を生じさせることができる。
【００９２】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【００９３】
また、以上に記載された実施の形態によれば、プラテンローラー駆動部１０５は、ペーパー３ａをペーパーロール３に巻き取らせる方向にプラテンローラー５を回転駆動させる。その場合、グリップローラー駆動部１０６は、ペーパー３ａをペーパーロール３に巻き取らせる方向にグリップローラー６を回転駆動させる。このような構成によれば、プラテンローラーおよびグリップローラーの双方を回転駆動させることによって記録用紙を搬送するため、ペーパーの搬送力を高めることができる。
【００９４】
また、以上に記載された実施の形態によれば、熱転写型のプリンタは、ペーパーロール３を回転駆動させるペーパーロール駆動部４を備える。ペーパーロール駆動部４は、印画時に、プラテンローラー駆動部１０５およびグリップローラー駆動部１０６がペーパー３ａを巻き取らせる速度よりも遅い速度でペーパーロール３がペーパー３ａを巻き取るように、ペーパーロール３を回転駆動させる。このような構成によれば、ペーパーロール３に巻き取られる前部分のペーパー３ａに弛みを持たせることができる。これによって、ペーパーロール駆動部４によって生じる搬送力が、プラテンローラー５およびグリップローラー６による搬送に与える影響（外乱）が抑えることができる。そのため、印画動作の位置精度を向上させることができる。
【００９５】
また、以上に記載された実施の形態によれば、グリップローラー駆動部１０６は、非印画時（すなわち、印画時以外の、Ｓ／Ｂ時または排紙時）に、ペーパー３ａをペーパーロール３から巻き出す方向にグリップローラー６を回転駆動させる。その場合、ペーパーロール駆動部４は、グリップローラー駆動部１０６がペーパー３ａを巻き出す速度よりも遅い速度でペーパーロール３からペーパー３ａが巻き出されるように、ペーパーロール３を回転駆動させる。このような構成によれば、ＢＴがかかった状態でペーパー３ａの巻き出しが行われるため、ペーパー３ａの用紙幅方向の蛇行を防ぐことができる。また、ＢＴがかかった状態でペーパー３ａの巻き出しが行われるため、ペーパー３ａへの転写位置が安定する。そのため、印画品位のよい印画物を出力することができる。
【００９６】
また、以上に記載された実施の形態によれば、熱転写型のプリンタは、給紙ローラー８と、給紙ローラー駆動部１０８とを備える。給紙ローラー８は、ペーパーロール３とグリップローラー６との間の区間において、第２のピンチローラーとともにペーパー３ａを挟む。ここで、第２のピンチローラーは、たとえば、ピンチローラー９に対応するものである。給紙ローラー駆動部１０８は、給紙ローラー８を回転駆動させることによって、ペーパー３ａを搬送する。グリップローラー駆動部１０６は、非印画時（すなわち、印画時以外の、Ｓ／Ｂ時または排紙時）に、ペーパー３ａをペーパーロール３から巻き出す方向にグリップローラー６を回転駆動させる。その場合、給紙ローラー駆動部１０８は、ペーパー３ａをペーパーロール３から巻き出す方向に給紙ローラー８を回転駆動させる。このような構成によれば、給紙ローラー８およびピンチローラー９がペーパー３ａを挟んで搬送することによって、Ｓ／Ｂ時および排紙時のペーパー３ａの搬送力が増大する。また、ペーパーロール３から巻き出されたペーパー３ａの蛇行などによって生じる外乱が、グリップローラー６による搬送に与える影響が抑えられる。そのため、印画動作の位置精度を向上させることができる。
【００９７】
また、以上に記載された実施の形態によれば、熱転写型のプリンタは、ペーパーロール３を回転駆動させるペーパーロール駆動部４を備える。そして、プラテンローラー駆動部１０５、グリップローラー駆動部１０６、ペーパーロール駆動部４および給紙ローラー駆動部１０８は、同一の駆動源によって駆動される。このような構成によれば、プラテンローラー駆動部１０５、グリップローラー駆動部１０６、ペーパーロール駆動部４および給紙ローラー駆動部１０８の駆動源を単一の駆動源であるモータ１０によって流用することができるため、装置構成の増大を防ぐことができる。
【００９８】
また、以上に記載された実施の形態によれば、熱転写型のプリンタは、プラテンローラー移動機構５ａと、第１のピンチローラー移動機構と、第２のピンチローラー移動機構とを備える。ここで、第１のピンチローラー移動機構は、たとえば、ピンチローラー移動機構７ａに対応するものである。また、第２のピンチローラー移動機構は、たとえば、ピンチローラー移動機構９ａに対応するものである。プラテンローラー移動機構５ａは、プラテンローラー５をペーパー３ａに対して接近および離間させる。ピンチローラー移動機構７ａは、ピンチローラー７とをペーパー３ａに対して接近および離間させる。ピンチローラー移動機構９ａは、ピンチローラー９とをペーパー３ａに対して接近および離間させる。そして、プラテンローラー移動機構５ａ、ピンチローラー移動機構７ａおよびピンチローラー移動機構９ａは、同一の駆動源によって駆動される。このような構成によれば、プラテンローラー移動機構５ａ、ピンチローラー移動機構７ａおよびピンチローラー移動機構９ａの駆動源を単一の駆動源であるモータ１１によって流用することができるため、装置構成の増大を防ぐことができる。
【００９９】
以上に記載された実施の形態によれば、搬送されるペーパー３ａおよびインクリボン１２を、サーマルヘッド２とプラテンローラー５とを用いて圧着することによって印画を行う熱転写型の印画方法において、印画時にプラテンローラー５を回転駆動させることによって、ペーパー３ａおよびインクリボン１２を搬送する。それとともに、プラテンローラー５とペーパー３ａを供給するペーパーロール３との間の区間においてピンチローラー７とともにペーパー３ａを挟むグリップローラー６を回転駆動させることによって、ペーパー３ａを搬送する。
【０１００】
このような構成によれば、プラテンローラー５およびグリップローラー６の双方を回転駆動させることによってペーパー３ａを搬送するため、ペーパー３ａの搬送力を高めることができる。よって、突起痕を軽減しつつ印画品位の低下を抑制することができる。
【０１０１】
なお、これらの構成以外の本願明細書に例が示される他の構成については適宜省略することができる。すなわち、少なくともこれらの構成を備えていれば、以上に記載された効果を生じさせることができる。
【０１０２】
しかしながら、本願明細書に例が示される他の構成のうちの少なくとも１つを、以上に記載された構成に適宜追加した場合、すなわち、以上に記載された構成としては言及されなかった本願明細書に例が示される他の構成が適宜追加された場合であっても、同様の効果を生じさせることができる。
【０１０３】
また、特段の制限がない場合には、それぞれの処理が行われる順序は変更することができる。
【０１０４】
＜以上に記載された実施の形態における変形例について＞
以上に記載された実施の形態では、それぞれの構成要素の寸法、形状、相対的配置関係または実施の条件などについても記載する場合があるが、これらはすべての局面においてひとつの例であって、本願明細書に記載されたものに限られることはないものとする。
【０１０５】
したがって、例が示されていない無数の変形例、および、均等物が、本願明細書に開示される技術の範囲内において想定される。たとえば、少なくとも１つの構成要素を変形する場合、追加する場合または省略する場合が含まれるものとする。
【０１０６】
また、矛盾が生じない限り、以上に記載された実施の形態において「１つ」備えられるものとして記載された構成要素は、「１つ以上」備えられていてもよいものとする。
【０１０７】
さらに、以上に記載された実施の形態におけるそれぞれの構成要素は概念的な単位であって、本願明細書に開示される技術の範囲内には、１つの構成要素が複数の構造物から成る場合と、１つの構成要素がある構造物の一部に対応する場合と、さらには、複数の構成要素が１つの構造物に備えられる場合とを含むものとする。
【０１０８】
また、以上に記載された実施の形態におけるそれぞれの構成要素には、同一の機能を発揮する限り、他の構造または形状を有する構造物が含まれるものとする。
【０１０９】
また、本願明細書における説明は、本技術に関するすべての目的のために参照され、いずれも、従来技術であると認めるものではない。
【０１１０】
また、以上に記載された実施の形態で記載されたそれぞれの構成要素は、ソフトウェアまたはファームウェアとしても、それと対応するハードウェアとしても想定され、その双方の概念において、それぞれの構成要素は「部」または「処理回路」などと称される。
【０１１１】
また、本願明細書に開示される技術は、それぞれの構成要素が複数の装置に分散して備えられる場合、すなわち、システムのような態様であってもよいものとする。
【符号の説明】
【０１１２】
１  カッター、２  サーマルヘッド、３  ペーパーロール、３ａ  ペーパー、４  ペーパーロール駆動部、４ａ，５ｃ，５ｄ，５ｅ，５ｆ，８ａ，８ｂ  伝達ギア、５  プラテンローラー、５ａ  プラテンローラー移動機構、５ａａ，５ａｂ，７ｂａ，７ｂｂ  カム、５ｂ，８ｂ  ギア、６  グリップローラー、６ａ  タイミングベルト、６ｂ  プーリー、７，９，１５ｂ  ピンチローラー、７ａ，７ａａ，７ａｂ，９ａ  ピンチローラー移動機構、８  給紙ローラー、１０，１１  モータ、１２  インクリボン、１３  インクボビン、１５  排紙部、１５ａ  端ローラー、２０  通信部、３０  記憶部、４０  画像処理部、５０  制御部、６０  情報処理装置、１００  プリンタ、１０２Ａ，１０２Ｂ  処理回路、１０３  記憶装置、１０５  プラテンローラー駆動部、１０６  グリップローラー駆動部、１０８  給紙ローラー駆動部、２００  ペーパー搬送機構。
【図１】
2019239512.tif 000003
【図２】
2019239512.tif 000004
【図３】
2019239512.tif 000005
【図４】
2019239512.tif 000006
【図５】
2019239512.tif 000007
【図６】
2019239512.tif 000008
【図７】
2019239512.tif 000009
【図８】
2019239512.tif 000010
【図９】
2019239512.tif 000011
【図１０】
2019239512.tif 000012
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
搬送される記録用紙およびインクリボンを、サーマルヘッドとプラテンローラーとを用いて圧着することによって印画を行う、熱転写型のプリンタであり、
印画時に前記プラテンローラーを回転駆動させることによって、前記記録用紙および前記インクリボンを搬送するプラテンローラー駆動部と、
前記記録用紙を供給するペーパーロールと、
前記ペーパーロールと前記プラテンローラーとの間の区間において、第１のピンチローラーとともに前記記録用紙を挟むグリップローラーと、
前記グリップローラーを回転駆動させることによって、前記記録用紙を搬送するグリップローラー駆動部と、
前記ペーパーロールと前記グリップローラーとの間の区間において、第２のピンチローラーとともに前記記録用紙を挟む給紙ローラーと、
前記給紙ローラーを回転駆動させることによって、前記記録用紙を搬送する給紙ローラー駆動部とを備え、
前記グリップローラー駆動部は、非印画時に、前記記録用紙を前記ペーパーロールから巻き出す方向に前記グリップローラーを回転駆動させ、
前記給紙ローラー駆動部は、前記記録用紙を前記ペーパーロールから巻き出す方向に前記給紙ローラーを回転駆動させて前記記録用紙の搬送力を増大させる、
熱転写型のプリンタ。
【請求項２】
前記プラテンローラー駆動部は、前記記録用紙を前記ペーパーロールに巻き取らせる方向に前記プラテンローラーを回転駆動させ、
前記グリップローラー駆動部は、前記記録用紙を前記ペーパーロールに巻き取らせる方向に前記グリップローラーを回転駆動させる、
請求項１に記載の熱転写型のプリンタ。
【請求項３】
前記ペーパーロールを回転駆動させるペーパーロール駆動部をさらに備え、
前記ペーパーロール駆動部は、印画時に、前記プラテンローラー駆動部および前記グリップローラー駆動部が前記記録用紙を巻き取らせる速度よりも遅い速度で前記ペーパーロールが前記記録用紙を巻き取るように、前記ペーパーロールを回転駆動させる、
請求項１または請求項２に記載の熱転写型のプリンタ。
【請求項４】
前記グリップローラー駆動部は、非印画時に、前記記録用紙を前記ペーパーロールから巻き出す方向に前記グリップローラーを回転駆動させ、
前記ペーパーロール駆動部は、前記グリップローラー駆動部が前記記録用紙を巻き出す速度よりも遅い速度で前記ペーパーロールから前記記録用紙が巻き出されるように、前記ペーパーロールを回転駆動させる、
請求項３に記載の熱転写型のプリンタ。
【請求項５】
前記プラテンローラー駆動部、前記グリップローラー駆動部、前記ペーパーロール駆動部および前記給紙ローラー駆動部は、同一の駆動源によって駆動される、
請求項３に記載の熱転写型のプリンタ。
【請求項６】
前記プラテンローラーを前記記録用紙に対して接近および離間させるプラテンローラー移動機構と、
前記第１のピンチローラーとを前記記録用紙に対して接近および離間させる第１のピンチローラー移動機構と、
前記第２のピンチローラーとを前記記録用紙に対して接近および離間させる第２のピンチローラー移動機構とをさらに備え、
前記プラテンローラー移動機構、前記第１のピンチローラー移動機構および前記第２のピンチローラー移動機構は、同一の駆動源によって駆動される、
請求項５に記載の熱転写型のプリンタ。
【請求項７】
搬送される記録用紙およびインクリボンを、サーマルヘッドとプラテンローラーとを用いて圧着することによって印画を行う、熱転写型の印画方法であり、
印画時に前記プラテンローラーを回転駆動させることによって、前記記録用紙および前記インクリボンを搬送し、
前記プラテンローラーと前記記録用紙を供給するペーパーロールとの間の区間において第１のピンチローラーとともに前記記録用紙を挟むグリップローラーを回転駆動させることによって、前記記録用紙を搬送し、
前記ペーパーロールと前記グリップローラーとの間の区間において、第２のピンチローラーとともに前記記録用紙を挟む給紙ローラーを回転駆動させることによって、前記記録用紙を搬送し、
非印画時に、前記記録用紙を前記ペーパーロールから巻き出す方向に前記グリップローラーを回転駆動させ、前記記録用紙を前記ペーパーロールから巻き出す方向に前記給紙ローラーを回転駆動させて前記記録用紙の搬送力を増大させる、
熱転写型の印画方法。
【手続補正２】
【補正対象書類名】明細書
【補正対象項目名】００１２
【補正方法】変更
【補正の内容】
【００１２】
本願明細書に開示される技術の第１の態様は、搬送される記録用紙およびインクリボンを、サーマルヘッドとプラテンローラーとを用いて圧着することによって印画を行う、熱転写型のプリンタであり、印画時に前記プラテンローラーを回転駆動させることによって、前記記録用紙および前記インクリボンを搬送するプラテンローラー駆動部と、前記記録用紙を供給するペーパーロールと、前記ペーパーロールと前記プラテンローラーとの間の区間において、第１のピンチローラーとともに前記記録用紙を挟むグリップローラーと、前記グリップローラーを回転駆動させることによって、前記記録用紙を搬送するグリップローラー駆動部と、前記ペーパーロールと前記グリップローラーとの間の区間において、第２のピンチローラーとともに前記記録用紙を挟む給紙ローラーと、前記給紙ローラーを回転駆動させることによって、前記記録用紙を搬送する給紙ローラー駆動部とを備え、前記グリップローラー駆動部は、非印画時に、前記記録用紙を前記ペーパーロールから巻き出す方向に前記グリップローラーを回転駆動させ、前記給紙ローラー駆動部は、前記記録用紙を前記ペーパーロールから巻き出す方向に前記給紙ローラーを回転駆動させて前記記録用紙の搬送力を増大させる。
【手続補正３】
【補正対象書類名】明細書
【補正対象項目名】００１３
【補正方法】変更
【補正の内容】
【００１３】
本願明細書に開示される技術の第２の態様は、搬送される記録用紙およびインクリボンを、サーマルヘッドとプラテンローラーとを用いて圧着することによって印画を行う、熱転写型の印画方法であり、印画時に前記プラテンローラーを回転駆動させることによって、前記記録用紙および前記インクリボンを搬送し、前記プラテンローラーと前記記録用紙を供給するペーパーロールとの間の区間において第１のピンチローラーとともに前記記録用紙を挟むグリップローラーを回転駆動させることによって、前記記録用紙を搬送し、前記ペーパーロールと前記グリップローラーとの間の区間において、第２のピンチローラーとともに前記記録用紙を挟む給紙ローラーを回転駆動させることによって、前記記録用紙を搬送し、非印画時に、前記記録用紙を前記ペーパーロールから巻き出す方向に前記グリップローラーを回転駆動させ、前記記録用紙を前記ペーパーロールから巻き出す方向に前記給紙ローラーを回転駆動させて前記記録用紙の搬送力を増大させる。
【手続補正４】
【補正対象書類名】明細書
【補正対象項目名】００１４
【補正方法】変更
【補正の内容】
【００１４】
本願明細書に開示される技術の第１の態様によれば、プラテンローラーおよびグリップローラーの双方を回転駆動させることによって記録用紙を搬送するため、記録用紙の搬送力を高めることができる。よって、突起痕を軽減しつつ印画品位の低下を抑制することができる。
【手続補正５】
【補正対象書類名】明細書
【補正対象項目名】００１５
【補正方法】変更
【補正の内容】
【００１５】
本願明細書に開示される技術の第２の態様によれば、プラテンローラーおよびグリップローラーの双方を回転駆動させることによって記録用紙を搬送するため、記録用紙の搬送力を高めることができる。よって、突起痕を軽減しつつ印画品位の低下を抑制することができる。
【国際調査報告】
2019239512.tif 000013
2019239512.tif 000014
2019239512.tif 000015
2019239512.tif 000016